(57)【特許請求の範囲】
【請求項１】
複数のページを含む原稿のうち予め定められた印刷条件を適用する指定ページを指定する操作を受け付ける受付処理部と、
前記原稿のうち前記指定ページを含む部分原稿を印刷する第１印刷処理部と、
前記第１印刷処理部による印刷後の予め定められた確認操作に応じて前記原稿のうち前記部分原稿を除く残部原稿を印刷する第２印刷処理部と、
シートが載置される複数のシート載置部と、
複数の前記シート載置部からシートを排出部に搬送するシート搬送部と、
を備え、
前記第１印刷処理部及び前記第２印刷処理部が、前記シート搬送部により複数の前記シート載置部のうち第１シート載置部から搬送されるシートに前記原稿のページを印刷し、
前記第２印刷処理部が、前記部分原稿の前ページが印刷された後又は前記部分原稿の次ページが印刷される前のタイミングで複数の前記シート載置部のうち前記第１シート載置部とは異なる第２シート載置部から前記第１印刷処理部による前記部分原稿の印刷枚数と同じ枚数のシートを前記シート搬送部によって前記排出部に排出させる画像形成装置。
【請求項２】
複数のページを含む原稿のうち予め定められた印刷条件を適用する指定ページを指定する操作を受け付ける受付処理部と、
前記原稿のうち前記指定ページを含む部分原稿を印刷する第１印刷処理部と、
前記第１印刷処理部による印刷後の予め定められた確認操作に応じて前記原稿のうち前記部分原稿を除く残部原稿を印刷する第２印刷処理部と、
前記第１印刷処理部による印刷後の予め定められた変更操作に応じて前記指定ページが変更された場合に、前記残部原稿と前記部分原稿のうち前記変更操作に応じて印刷結果が変化する変更原稿とを印刷する第３印刷処理部と、
を備える画像形成装置。
【請求項３】
シートが載置される複数のシート載置部と、
複数の前記シート載置部からシートを排出部に搬送するシート搬送部と、を更に備え、
前記第１印刷処理部及び前記第３印刷処理部が、前記シート搬送部により複数の前記シート載置部のうち第１シート載置部から搬送されるシートに前記原稿のページを印刷し、
前記第３印刷処理部が、前記部分原稿のうち前記変更原稿を除く不変原稿の前ページが印刷された後又は前記不変原稿の次ページが印刷される前のタイミングで複数の前記シート載置部のうち前記第１シート載置部とは異なる第２シート載置部から前記第１印刷処理部による前記不変原稿の印刷枚数と同じ枚数のシートを前記シート搬送部によって前記排出部に排出させる請求項２に記載の画像形成装置。
【請求項４】
前記変更操作に応じて前記指定ページが変更された場合に、前記変更原稿を識別可能な原稿識別情報を報知すると共に、前記部分原稿から前記変更原稿を除去して前記第２シート載置部に載置するよう促すメッセージを報知する報知処理部を更に備える請求項３に記載の画像形成装置。
【請求項５】
前記第１印刷処理部及び前記第２印刷処理部が、前記シート搬送部により前記第１シート載置部から搬送されるシートの片面又は両面に前記原稿のページを印刷し、
前記印刷条件が、前記指定ページの印刷及び前記指定ページの前ページの印刷の間のタイミングで前記第１シート載置部と異なる他の前記シート載置部からシートを前記シート搬送部によって前記排出部へと排出させる第１印刷条件、前記第１シート載置部と異なる前記シート載置部から搬送されるシートに前記指定ページを印刷する第２印刷条件、及び前記シート搬送部により搬送されるシートにおける前記指定ページの印刷位置がシートの裏面に設定される場合に、前記指定ページの前記印刷位置の設定を前記シート搬送部により次に搬送されるシートの表面に変更する第３印刷条件のいずれか一つ又は複数を含む請求項１、３、又は４に記載の画像形成装置。
【請求項６】
前記指定ページの前ページ及び次ページのいずれか一方又は両方である第１参照ページの印字率を取得する取得処理部を更に備え、
前記部分原稿が、前記第１参照ページの印字率が予め定められた閾値を超える場合には前記指定ページ及び前記第１参照ページを含み、前記第１参照ページの印字率が前記閾値以下の場合には前記指定ページ及び前記第１参照ページと共に前記第１参照ページの前ページ又は次ページの第２参照ページを含む請求項５に記載の画像形成装置。
【請求項７】
前記取得処理部が、前記原稿が両面印刷される場合には、前記指定ページの前ページである前記第１参照ページの印字率を取得し、
前記部分原稿が、前記指定ページの前記印刷位置が変更される場合において前記第１参照ページの印字率が前記閾値を超える場合には前記指定ページ、前記指定ページの次ページ、及び前記第１参照ページを含み、前記指定ページの前記印刷位置が変更される場合において前記第１参照ページの印字率が前記閾値以下の場合には前記指定ページ、前記指定ページの次ページ、前記第１参照ページ、前記第２参照ページ、及び前記第２参照ページの前ページを含み、前記指定ページの前記印刷位置が変更されない場合には前記指定ページ、前記指定ページの次ページ、前記第１参照ページ、及び前記第２参照ページを含む請求項６に記載の画像形成装置。
【請求項８】
前記原稿から画像データを読み取り可能な画像読取部を更に備える請求項１〜７のいずれかに記載の画像形成装置。
【請求項９】
シートが載置される複数のシート載置部と、
複数の前記シート載置部からシートを排出部に搬送するシート搬送部と、を備える画像形成装置で実行される画像形成方法であって、
複数のページを含む原稿のうち予め定められた印刷条件を適用する指定ページを指定する操作を受け付ける第１ステップと、
前記原稿のうち前記指定ページを含む部分原稿を印刷する第２ステップと、
前記第２ステップによる印刷後の予め定められた確認操作に応じて前記原稿のうち前記部分原稿を除く残部原稿を印刷する第３ステップと、
を含み、
前記第２ステップ及び前記第３ステップでは、前記シート搬送部により複数の前記シート載置部のうち第１シート載置部から搬送されるシートに前記原稿のページが印刷され、
前記第３ステップでは、前記部分原稿の前ページが印刷された後又は前記部分原稿の次ページが印刷される前のタイミングで複数の前記シート載置部のうち前記第１シート載置部とは異なる第２シート載置部から前記第２ステップによる前記部分原稿の印刷枚数と同じ枚数のシートが前記シート搬送部によって前記排出部に排出される画像形成方法。
【請求項１０】
複数のページを含む原稿のうち予め定められた印刷条件を適用する指定ページを指定する操作を受け付ける第１ステップと、
前記原稿のうち前記指定ページを含む部分原稿を印刷する第２ステップと、
前記第２ステップによる印刷後の予め定められた確認操作に応じて前記原稿のうち前記部分原稿を除く残部原稿を印刷する第３ステップと、
前記第２ステップによる印刷後の予め定められた変更操作に応じて前記指定ページが変更された場合に、前記残部原稿と前記部分原稿のうち前記変更操作に応じて印刷結果が変化する変更原稿とを印刷する第４ステップと、
を含む画像形成方法。
【発明の詳細な説明】
【技術分野】
【０００１】
本発明は、画像形成装置、及び画像形成方法に関する。
【背景技術】
【０００２】
コピー機のような画像形成装置では、原稿のページ各々から画像データが読み取られて、読み取られた画像データに基づいて原稿のページ各々がシートに印刷される。ところで、ユーザーにより指定された原稿のページの前に合紙を挿入して原稿を印刷することが可能な画像形成装置が知られている。また、ユーザーにより指定された原稿のページが常にシートの表面に配置されるように原稿を印刷することが可能な画像形成装置が知られている（例えば、特許文献１参照）。これらの画像形成装置では、ユーザーにより原稿のページが指定されて原稿の印刷処理が実行される。例えば、この種の画像形成装置では、ページ指定に誤りがないか否かを確認するために、印刷処理の実行前に指定ページ及びその１ページ前のページが印刷される。
【先行技術文献】
【特許文献】
【０００３】
【特許文献１】特開２００３−１０１７５７号公報
【発明の概要】
【発明が解決しようとする課題】
【０００４】
ところで、画像形成装置において、印刷処理で印刷される印刷物の一部の印刷結果が、ページ指定の確認用に印刷される印刷物と重複することがある。この場合、印刷処理において、ページ指定の確認用に印刷される印刷物と印刷結果が重複する印刷物を印刷することは無駄になる。
【０００５】
本発明の目的は、ページ指定の確認用に印刷される印刷物と印刷結果が重複する印刷物が印刷されることを抑制可能な画像形成装置及び画像形成方法を提供することにある。
【課題を解決するための手段】
【０００６】
本発明の一の局面に係る画像形成装置は、受付処理部と、第１印刷処理部と、第２印刷処理部とを備える。前記受付処理部は、複数のページを含む原稿のうち予め定められた印刷条件を適用する指定ページを指定する操作を受け付ける。前記第１印刷処理部は、前記原稿のうち前記指定ページを含む部分原稿を印刷する。前記第２印刷処理部は、前記第１印刷処理部による印刷後の予め定められた確認操作に応じて前記原稿のうち前記部分原稿を除く残部原稿を印刷する。
【０００７】
本発明の他の局面に係る画像形成方法は、第１ステップ、第２ステップ、及び第３ステップを含む。前記第１ステップでは、複数のページを含む原稿のうち予め定められた印刷条件を適用する指定ページを指定する操作が受け付けられる。前記第２ステップでは、前記原稿のうち前記指定ページを含む部分原稿が印刷される。前記第３ステップでは、前記第２ステップによる印刷後の予め定められた確認操作に応じて前記原稿のうち前記部分原稿を除く残部原稿が印刷される。
【発明の効果】
【０００８】
本発明によれば、ページ指定の確認用に印刷される印刷物と印刷結果が重複する印刷物が印刷されることを抑制可能な画像形成装置及び画像形成方法が実現される。
【図面の簡単な説明】
【０００９】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置で実行される印刷制御処理の一例を示すフローチャートである。
【図４】図４は、本発明の実施形態に係る画像形成装置で印刷される印刷物の一例を示す図である。
【図５】図５は、本発明の実施形態に係る画像形成装置で印刷される印刷物の一例を示す図である。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像形成装置１０の概略構成］
まず、図１及び図２を参照しつつ、本発明の実施形態に係る画像形成装置１０の概略構成について説明する。ここで、図１は画像形成装置１０の構成を示す断面模式図である。
【００１２】
図１及び図２に示すように、画像形成装置１０は、ＡＤＦ１、画像読取部２、画像形成部３、給紙部４、制御部５、及び操作表示部６を備える。画像形成装置１０は、原稿から画像データを読み取るスキャン機能、及び画像データに基づいて画像を形成するプリント機能と共に、ファクシミリ機能、又はコピー機能などの複数の機能を有する複合機である。また、本発明は、プリンター装置、ファクシミリ装置、及びコピー機などの画像形成装置に適用可能である。
【００１３】
ＡＤＦ１は、不図示の原稿セット部、複数の搬送ローラー、原稿押さえ、及び排紙部を備え、画像読取部２によって読み取られる原稿を搬送する自動原稿搬送装置である。画像読取部２は、不図示の原稿台、光源、複数のミラー、光学レンズ、及びＣＣＤ（Charge Coupled Device）を備え、原稿から画像データを読み取ることが可能である。
【００１４】
画像形成部３は、画像読取部２で読み取られた画像データに基づいて、電子写真方式でカラー又はモノクロの画像を形成する画像形成処理（印刷処理）を実行可能である。また、画像形成部３は、外部のパーソナルコンピューター等の情報処理装置から入力された画像データに基づいて前記印刷処理を実行することも可能である。
【００１５】
具体的に、画像形成部３は、図１に示すように、複数の画像形成ユニット３１〜３４、光走査装置（ＬＳＵ）３５、中間転写ベルト３６、二次転写ローラー３７、定着装置３８、及び排紙トレイ３９を備える。画像形成ユニット３１はＣ（シアン）、画像形成ユニット３２はＭ（マゼンタ）、画像形成ユニット３３はＹ（イエロー）、画像形成ユニット３４はＫ（ブラック）に対応する電子写真方式の画像形成ユニットである。画像形成ユニット３１〜３４各々は、感光体ドラム、帯電装置、現像装置、一次転写ローラー、及びクリーニング装置などを備える。
【００１６】
光走査装置３５は、画像データに基づくレーザー光を前記感光体ドラム各々に照射することにより前記感光体ドラム各々に画像データに基づく静電潜像を形成する。そして、前記現像装置により前記感光体ドラム各々で現像された各色のトナー像は、中間転写ベルト３６に中間転写された後、二次転写ローラー３７によって、給紙部４から供給されるシートに転写される。その後、トナー像が転写された前記シートは、定着装置３８によりトナー像が溶融定着されることでカラー画像が形成され、排紙トレイ３９に排出される。
【００１７】
給紙部４は、画像形成部３により画像が形成されるシートを搬送する。具体的に、給紙部４は、図１に示すように、第１給紙カセット４１、第２給紙カセット４２、手差しトレイ４３、第１搬送路４４、第２搬送路４５、及び切替部材４６を備える。
【００１８】
第１給紙カセット４１、第２給紙カセット４２、及び手差しトレイ４３にはシートが載置される。給紙部４は、第１給紙カセット４１、第２給紙カセット４２、及び手差しトレイ４３からシートを排紙トレイ３９に搬送する。ここに、給紙部４が、本発明におけるシート搬送部の一例である。また、排紙トレイ３９が、本発明における排出部の一例である。また、第１給紙カセット４１、第２給紙カセット４２、及び手差しトレイ４３が、本発明における複数のシート載置部の一例である。また、第１給紙カセット４１が、本発明における第１シート載置部の一例である。また、手差しトレイ４３が、本発明における第２シート載置部の一例である。なお、以下の説明においては、第１給紙カセット４１、第２給紙カセット４２、及び手差しトレイ４３を総称して、シート載置部と呼称する場合がある。
【００１９】
第１搬送路４４は、第１給紙カセット４１、第２給紙カセット４２、及び手差しトレイ４３から排紙トレイ３９に至るシートの搬送経路であって、画像形成装置１０の筐体内に設けられた一対の搬送ガイド部材により形成される。第１搬送路４４には、ピックアップローラー、レジストローラー、排出ローラー４４Ａを含む複数のローラーが設けられる。給紙部４では、不図示のモーターから伝達される駆動力で複数の前記ローラーが回転することで、第１給紙カセット４１、第２給紙カセット４２、及び手差しトレイ４３に載置されるシートが排紙トレイ３９まで搬送される。
【００２０】
第２搬送路４５は、第１搬送路４４における定着装置３８の下流側と前記レジストローラーの上流側とを接続するシートの搬送経路であって、画像形成装置１０の筐体内に設けられた一対の搬送ガイド部材により形成される。第２搬送路４５には、シートを搬送する複数のローラーが設けられる。切替部材４６は、第１搬送路４４における下流側の第２搬送路４５との合流部に設けられ、第１搬送路４４及び第２搬送路４５のいずれか一方を開放すると共に、他方を閉鎖することが可能である。
【００２１】
画像形成装置１０では、給紙部４により搬送されるシートの両面に印刷を行うことが可能である。具体的に、制御部５は、シートの両面に印刷が行われる場合には、画像形成部３による画像形成後のシートの後端が前記合流部を通過したタイミングで切替部材４６を動作させて、第１搬送路４３を閉鎖させると共に第２搬送路４４を開放させる。続いて、制御部５は、第２搬送路４５が開放された後に、排出ローラー４４Ａを逆回転させる。これにより、シートが第２搬送路４５に送出されて、表面と裏面とが逆転した状態で画像形成部３による画像形成位置まで搬送される。
【００２２】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００２３】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００２４】
ところで、ユーザーにより指定された原稿のページの前に合紙を挿入して原稿を印刷することが可能な画像形成装置が知られている。また、ユーザーにより指定された原稿のページが常にシートの表面に配置されるように原稿を印刷することが可能な画像形成装置が知られている。これらの画像形成装置では、ユーザーにより原稿のページが指定されて原稿の前記印刷処理が実行される。例えば、この種の画像形成装置では、ページ指定に誤りがないか否かを確認するために、前記印刷処理の実行前に指定ページ及びその１ページ前のページが印刷される。
【００２５】
ここで、画像形成装置において、前記印刷処理で印刷される印刷物の一部の印刷結果が、ページ指定の確認用に印刷される印刷物と重複することがある。この場合、前記印刷処理において、ページ指定の確認用に印刷される印刷物と印刷結果が重複する印刷物を印刷することは無駄になる。これに対し、本発明の実施形態に係る画像形成装置１０では、ページ指定の確認用に印刷される印刷物と印刷結果が重複する印刷物が印刷されることを抑制することが可能である。
【００２６】
具体的に、制御部５の前記ＲＯＭには、前記ＣＰＵに後述の印刷制御処理（図３のフローチャート参照）を実行させるための印刷制御プログラムが予め記憶されている。なお、前記印刷制御プログラムは、ＣＤ、ＤＶＤ、フラッシュメモリーなどのコンピューター読み取り可能な記録媒体に記録されており、前記記録媒体から読み取られて前記ＥＥＰＲＯＭ等の記憶部にインストールされるものであってもよい。
【００２７】
そして、制御部５は、図２に示すように、読取処理部５１、第１受付処理部５２、取得処理部５３、第１印刷処理部５４、第２受付処理部５５、報知処理部５６、第２印刷処理部５７、及び第３印刷処理部５８を含む。具体的に、制御部５は、前記ＣＰＵを用いて前記ＲＯＭに記憶されている前記印刷制御プログラムを実行する。これにより、制御部５は、読取処理部５１、第１受付処理部５２、取得処理部５３、第１印刷処理部５４、第２受付処理部５５、報知処理部５６、第２印刷処理部５７、及び第３印刷処理部５８として機能することが可能である。
【００２８】
読取処理部５１は、ＡＤＦ１及び画像読取部２を制御して、ＡＤＦ１の前記原稿セット部に載置される原稿のページ各々の画像を読み取る画像読取処理を実行する。具体的に、読取処理部５１は、ＡＤＦ１を制御して、前記原稿セット部に載置される複数枚の原稿を順次搬送する。また、読取処理部５１は、画像読取部２を制御して、ＡＤＦ１により搬送される原稿からページ各々の画像を読み取る。
【００２９】
第１受付処理部５２は、複数ページを含む原稿のうち、予め定められた印刷条件を適用する指定ページを指定する操作を受け付ける。例えば、第１受付処理部５２は、読取処理部５１により読み取られた複数ページを含む原稿のうち、前記印刷条件を適用する前記指定ページを指定する操作を受け付ける。ここに、第１受付処理部５２が、本発明における受付処理部の一例である。
【００３０】
例えば、第１受付処理部５２は、前記指定ページの指定操作に用いられる設定操作画面を操作表示部６に表示させる。例えば、前記設定操作画面では、前記印刷条件の設定、及び原稿のページ数を入力することにより前記指定操作を行うことが可能である。また、前記設定操作画面では、原稿の印刷モードとして、片面印刷及び両面印刷のいずれかを設定可能である。また、前記設定操作画面では、設定された前記印刷モード、前記印刷条件、及び前記指定ページに基づく第１印刷処理部５４による前記印刷処理の実行操作を行うことが可能である。
【００３１】
ここで、前記印刷条件には、第１印刷条件、第２印刷条件、及び第３印刷条件が含まれる。なお、画像形成装置１０において、前記印刷条件のうち、前記第１印刷条件、前記第２印刷条件、及び前記第３印刷条件のいずれか一つ又は二つのみ設定可能であってもよい。
【００３２】
前記第１印刷条件は、前記指定ページの印刷及び前記指定ページの前ページの印刷の間のタイミングで、印刷に用いられるシートの搬送元として予め選択された前記シート載置部とは異なる他の前記シート載置部から、シートを給紙部４によって排紙トレイ３９へと排出させることである。例えば、画像形成装置１０では、第１給紙カセット４１が、印刷に用いられるシートの搬送元として予め選択されている。また、画像形成装置１０では、第２給紙カセット４２が、第１給紙カセット４１とは異なる他の前記シート載置部として設定されている。
【００３３】
例えば、前記設定操作画面において前記印刷条件が前記第１印刷条件に、前記印刷モードが片面印刷にそれぞれ設定されて前記指定操作が行われ、原稿が印刷される場合、前記指定ページが印刷されるシートと前記指定ページの前ページが印刷されるシートとの間に第２給紙カセット４２に載置されるシートが挿入された印刷物が出力される。
【００３４】
また、前記設定操作画面において前記印刷条件が前記第１印刷条件に、前記印刷モードが両面印刷にそれぞれ設定されて前記指定操作が行われ、原稿が印刷される場合、前記指定ページのシートにおける印刷位置がシートの表面及び裏面のいずれに設定されるかで印刷結果が異なる。具体的に、前記指定ページの前記印刷位置がシートの表面に設定される場合には、前記指定ページが表面に印刷されるシートと前記指定ページの前ページが裏面に印刷されるシートとの間に第２給紙カセット４２に載置されるシートが挿入された印刷物が出力される。また、前記指定ページの前記印刷位置がシートの裏面に設定される場合には、前記指定ページの前記印刷位置が給紙部４により次に搬送されるシートの表面に変更されて、前記指定ページが表面に印刷されるシートと前記指定ページの前ページが表面に印刷されるシートとの間に第２給紙カセット４２に載置されるシートが挿入された印刷物が出力される。
【００３５】
前記第２印刷条件は、印刷に用いられるシートの搬送元として予め選択された第１給紙カセット４１とは異なる第２給紙カセット４２から搬送されるシートに、前記指定ページを印刷することである。
【００３６】
例えば、前記設定操作画面において前記印刷条件が前記第２印刷条件に、前記印刷モードが片面印刷にそれぞれ設定されて前記指定操作が行われ、原稿が印刷される場合、前記指定ページが第２給紙カセット４２に載置されるシートに印刷された印刷物が出力される。
【００３７】
また、前記設定操作画面において前記印刷条件が前記第２印刷条件に、前記印刷モードが両面印刷にそれぞれ設定されて前記指定操作が行われ、原稿が印刷される場合、前記指定ページの前記印刷位置がシートの表面及び裏面のいずれに設定されるかで印刷結果が異なる。具体的に、前記指定ページの前記印刷位置がシートの表面に設定される場合には、前記指定ページが第２給紙カセット４２に載置されるシートに表面に印刷された印刷物が出力される。また、前記指定ページの前記印刷位置がシートの裏面に設定される場合には、前記指定ページの前記印刷位置が給紙部４により次に搬送されるシートの表面に変更されて、前記指定ページが第２給紙カセット４２に載置されるシートに表面に印刷された印刷物が出力される。
【００３８】
前記第３印刷条件は、給紙部４により搬送されるシートにおける前記指定ページの前記印刷位置がシートの裏面に設定される場合に、前記指定ページの前記印刷位置の設定を給紙部４により次に搬送されるシートの表面に変更することである。なお、前記第３印刷条件は、前記設定操作画面において前記印刷モードが両面印刷に設定される場合にのみ設定可能である。
【００３９】
取得処理部５３は、前記指定操作で指定された前記指定ページの前ページ及び次ページのいずれか一方又は両方である第１参照ページの印字率を取得する。例えば、取得処理部５３は、前記印刷モードが片面印刷及び両面印刷のいずれに設定される場合にも、前記指定ページの前ページである第１参照ページの印字率を取得する。例えば、取得処理部５３は、読取処理部５１により読み取られた原稿における前記第１参照ページの画像データに含まれる画素各々の濃度に基づいて、前記第１参照ページの印字率を取得する。
【００４０】
なお、取得処理部５３は、前記印刷モードが片面印刷に設定される場合には、前記指定ページの次ページを前記第１参照ページとして印字率を取得してもよく、前記指定ページの前ページ及び次ページの両方を前記第１参照ページとして印字率を取得してもよい。
【００４１】
第１印刷処理部５４は、原稿のうち前記指定ページを含む部分原稿を印刷する。例えば、第１印刷処理部５４は、前記設定操作画面で設定される前記印刷モードに応じて、給紙部４により印刷に用いられるシートの搬送元として予め選択された第１給紙カセット４１から搬送されるシートの片面又は両面に、読取処理部５１により読み取られた原稿のうちの前記部分原稿を印刷する。
【００４２】
ここで、前記部分原稿の範囲は、前記印刷モードが片面印刷に設定される場合には、取得処理部５３により取得される前記第１参照ページの印字率が予め定められた閾値を超えるか否かに応じて異なる。具体的に、前記部分原稿は、取得処理部５３により取得される前記第１参照ページの印字率が前記閾値を超える場合には、前記指定ページ及び前記第１参照ページを含む。また、前記部分原稿は、取得処理部５３により取得される前記第１参照ページの印字率が前記閾値以下の場合には、前記前記指定ページ及び前記第１参照ページと共に前記第１参照ページの前ページ又は次ページの第２参照ページを含む。例えば、前記閾値は、操作表示部６に対するユーザー操作に応じて任意に設定可能である。
【００４３】
なお、前記第２参照ページは、前記第１参照ページが前記指定ページの前ページである場合には、前記第１参照ページの前ページである。また、前記第２参照ページは、前記第１参照ページが前記指定ページの次ページである場合には、前記第１参照ページの次ページである。また、前記第２参照ページは、前記第１参照ページが前記指定ページの前ページ及び次ページである場合には、前記指定ページの前ページである前記第１参照ページの前ページ、及び前記指定ページの次ページである前記第１参照ページの次ページである。
【００４４】
また、前記部分原稿の範囲は、前記印刷モードが両面印刷に設定される場合には、前記指定ページの前記印刷位置のシートの裏面から表面への変更の有無及び取得処理部５３により取得される前記第１参照ページの印字率が前記閾値を超えるか否かに応じて異なる。具体的に、前記部分原稿は、前記指定ページの前記印刷位置が変更される場合において前記第１参照ページの印字率が前記閾値を超える場合には、前記指定ページ、前記指定ページの次ページ、及び前記指定ページの前ページである前記第１参照ページを含む。また、前記部分原稿は、前記指定ページの前記印刷位置が変更される場合において前記第１参照ページの印字率が前記閾値以下の場合には、前記指定ページ、前記指定ページの次ページ、前記指定ページの前ページである前記第１参照ページ、前記第１参照ページの前ページである前記第２参照ページ、及び前記第２参照ページの前ページを含む。また、前記部分原稿は、前記指定ページの前記印刷位置が変更されない場合には、前記指定ページ、前記指定ページの次ページ、前記指定ページの前ページである前記第１参照ページ、及び前記第１参照ページの前ページである前記第２参照ページを含む。
【００４５】
例えば、第１印刷処理部５４は、読取処理部５１により読み取られた原稿の画像データ、並びに前記設定操作画面で設定された前記印刷モード、前記印刷条件、及び前記指定ページに基づいて、原稿のページごとに印刷タイミング、印刷されるシートの給紙元、及びシートにおける前記印刷位置が設定された第１印刷データを生成する。
【００４６】
そして、第１印刷処理部５４は、前記印刷モードが片面印刷に設定される場合には、取得処理部５３により取得される前記第１参照ページの印字率に基づいて前記部分原稿の範囲を特定し、範囲が特定された前記部分原稿を前記第１印刷データに基づいて印刷する。また、第１印刷処理部５４は、前記印刷モードが両面印刷に設定される場合には、取得処理部５３により取得される前記第１参照ページの印字率及び前記第１印刷データに基づいて前記部分原稿の範囲を特定し、範囲が特定された前記部分原稿を前記第１印刷データに基づいて印刷する。
【００４７】
なお、第１印刷処理部５４は、前記指定ページが複数存在する場合には、複数の前記指定ページ各々に対応する前記部分原稿を印刷する。また、第１印刷処理部５４は、前記印刷条件が前記第１印刷条件に設定される場合には、前記部分原稿に前記指定ページ及び前記指定ページの前ページが含まれる場合であっても、前記指定ページと前記指定ページの前ページとの間に第２給紙カセット４２に載置されるシートを挿入せずに前記部分原稿を印刷する。
【００４８】
第２受付処理部５５は、第１印刷処理部５４によって前記部分原稿が印刷された後に、前記指定操作で指定された前記指定ページの確認操作及び変更操作を受け付ける。例えば、第２受付処理部５５は、前記指定ページの前記確認操作及び前記変更操作に用いられる設定変更画面を操作表示部６に表示させる。ここに、前記確認操作が、本発明における予め定められた確認操作の一例である。また、前記変更操作が、本発明における予め定められた変更操作の一例である。
【００４９】
報知処理部５６は、前記設定変更画面で前記確認操作が受け付けられた場合に、第１印刷処理部５４によって印刷された前記部分原稿を手差しトレイ４３に載置するよう促す第１メッセージを報知する。
【００５０】
例えば、報知処理部５６は、前記第１メッセージを含む第１報知画面を操作表示部６に表示させる。例えば、前記第１報知画面では、前記設定操作画面で設定された前記印刷モード、前記印刷条件、及び前記指定ページに基づく第２印刷処理部５７による前記印刷処理の実行操作を行うことが可能である。
【００５１】
また、報知処理部５６は、前記設定変更画面で受け付けられた前記変更操作に応じて前記指定ページが変更された場合に、第１印刷処理部５４によって印刷された前記部分原稿のうち前記変更操作に応じて印刷結果が変化する変更原稿を識別可能な原稿識別情報を報知すると共に、前記部分原稿から前記変更原稿を除去して手差しトレイ４３に載置するよう促す第２メッセージを報知する。ここに、前記第２メッセージが、本発明におけるメッセージの一例である。
【００５２】
例えば、画像形成装置１０において前記印刷モードが片面印刷又は両面印刷に設定され、前記印刷条件が前記第２印刷条件に設定された場合において、前記変更操作により前記指定ページが変更される場合には、前記変更操作による変更前の前記指定ページの印刷結果は前記変更操作に応じて変化する。
【００５３】
また、画像形成装置１０において前記印刷モードが両面印刷に設定され、前記印刷条件が前記第１印刷条件又は前記第３印刷条件に設定された場合において、前記変更操作により前記指定ページがシートの表面に前記印刷位置が設定されるページからシートの裏面に前記印刷位置が設定されるページに変更される場合、及び前記指定ページがシートの裏面に前記印刷位置が設定されるページからシートの表面に前記印刷位置が設定されるページに変更される場合には、前記変更操作による変更前の前記指定ページの印刷結果は前記変更操作に応じて変化することがある。
【００５４】
例えば、前記原稿識別情報は、前記変更原稿の一部又は全部の画像である。また、前記原稿識別情報は、第１印刷処理部５４によって印刷されて印刷物の排紙トレイ３９への排出順序であってもよい。
【００５５】
例えば、報知処理部５６は、前記原稿識別情報及び前記第２メッセージを含む第２報知画面を操作表示部６に表示させる。例えば、前記第２報知画面では、前記設定操作画面で設定された前記印刷モード、及び前記印刷条件、並びに前記設定変更画面で受け付けられた前記変更操作に応じて変更された前記指定ページに基づく第３印刷処理部５８による前記印刷処理の実行操作を行うことが可能である。
【００５６】
第２印刷処理部５７は、第１印刷処理部５４による印刷後の前記確認操作に応じて、原稿のうち前記部分原稿を除く残部原稿を印刷する。例えば、第２印刷処理部５７は、前記設定操作画面で設定される前記印刷モードに応じて、給紙部４により印刷に用いられるシートの搬送元として予め選択された第１給紙カセット４１から搬送されるシートの片面又は両面に前記残部原稿を印刷する。
【００５７】
例えば、第２印刷処理部５７は、前記第１印刷データに基づいて、前記残部原稿を印刷する。
【００５８】
ここで、第２印刷処理部５７は、前記部分原稿の前ページが印刷された後又は前記部分原稿の次ページが印刷される前のタイミングで、手差しトレイ４３から第１印刷処理部５４による前記部分原稿の印刷枚数と同じ枚数のシートを給紙部４によって排紙トレイ３９に排出させる。例えば、第２印刷処理部５７は、前記部分原稿が原稿の最初のページを含む場合には、前記部分原稿の次ページが印刷される前のタイミングで、手差しトレイ４３からシートを給紙部４によって排紙トレイ３９に排出させる。また、第２印刷処理部５７は、前記部分原稿が原稿の最後のページを含む場合には、前記部分原稿の前ページが印刷された後のタイミングで、手差しトレイ４３からシートを給紙部４によって排紙トレイ３９に排出させる。また、第２印刷処理部５７は、前記部分原稿が原稿の最初のページ及び最後のページのいずれも含まない場合には、前記部分原稿の前ページが印刷された後のタイミングで手差しトレイ４３からシートを給紙部４によって排紙トレイ３９に排出させる。
【００５９】
例えば、第２印刷処理部５７は、前記第１印刷データに基づいて取得される前記部分原稿の印刷タイミングで、前記部分原稿の印刷に替えて、手差しトレイ４３から第１印刷処理部５４による前記部分原稿の印刷枚数と同じ枚数のシートを給紙部４によって排紙トレイ３９に排出させる。また、第２印刷処理部５７は、前記印刷条件が前記第１印刷条件に設定される場合には、前記第１印刷データに基づいて取得される前記指定ページの印刷タイミングに基づいて、第２給紙カセット４２からシートを給紙部４によって排紙トレイ３９へと排出させる。
【００６０】
第３印刷処理部５８は、第１印刷処理部５４による印刷後の前記変更操作に応じて前記指定ページが変更された場合に、前記残部原稿と前記部分原稿のうち前記変更操作に応じて印刷結果が変化する前記変更原稿とを印刷する。例えば、第３印刷処理部５８は、前記設定操作画面で設定される前記印刷モードに応じて、給紙部４により印刷に用いられるシートの搬送元として予め選択された第１給紙カセット４１から搬送されるシートの片面又は両面に前記残部原稿及び前記変更原稿を印刷する。
【００６１】
例えば、第３印刷処理部５８は、読取処理部５１により読み取られた原稿の画像データ、前記設定操作画面で設定された前記印刷モード及び前記印刷条件、並びに前記設定変更画面で受け付けられた前記変更操作に応じて変更された前記指定ページに基づいて、原稿のページごとに印刷タイミング、印刷されるシートの給紙元、及びシートにおける前記印刷位置が設定された第２印刷データを生成する。次に、第３印刷処理部５８は、前記第１印刷データ及び前記第２印刷データに基づいて、前記部分原稿から前記変更原稿及び前記部分原稿のうち前記変更原稿を除く不変原稿を特定する。そして、第３印刷処理部５８は、前記第２印刷データに基づいて前記残部原稿及び特定された前記変更原稿を印刷する。
【００６２】
ここで、第３印刷処理部５８は、前記部分原稿のうち前記変更原稿を除く前記不変原稿の前ページが印刷された後又は前記不変原稿の次ページが印刷される前のタイミングで、手差しトレイ４３から第１印刷処理部５４による前記不変原稿の印刷枚数と同じ枚数のシートを給紙部４によって排紙トレイ３９に排出させる。例えば、第３印刷処理部５８は、前記不変原稿が原稿の最初のページを含む場合には、前記不変原稿の次ページが印刷される前のタイミングで、手差しトレイ４３からシートを給紙部４によって排紙トレイ３９に排出させる。また、第３印刷処理部５８は、前記不変原稿が原稿の最後のページを含む場合には、前記不変原稿の前ページが印刷された後のタイミングで、手差しトレイ４３からシートを給紙部４によって排紙トレイ３９に排出させる。また、第３印刷処理部５８は、前記不変原稿が原稿の最初のページ及び最後のページのいずれも含まない場合には、前記不変原稿の前ページが印刷された後のタイミングで手差しトレイ４３からシートを給紙部４によって排紙トレイ３９に排出させる。
【００６３】
例えば、第３印刷処理部５８は、前記第２印刷データに基づいて取得される前記不変原稿の印刷タイミングで、前記不変原稿の印刷に替えて、手差しトレイ４３から第１印刷処理部５４による前記不変原稿の印刷枚数と同じ枚数のシートを給紙部４によって排紙トレイ３９に排出させる。また、第３印刷処理部５８は、前記印刷条件が前記第１印刷条件に設定される場合には、前記第２印刷データに基づいて取得される前記指定ページの印刷タイミングに基づいて、第２給紙カセット４２からシートを給紙部４によって排紙トレイ３９へと排出させる。
【００６４】
［印刷制御処理］
以下、図３を参照しつつ、画像形成装置１０において制御部５により実行される印刷制御処理の手順の一例について説明する。ここで、ステップＳ１、Ｓ２・・・は、制御部５により実行される処理手順（ステップ）の番号を表している。なお、前記印刷制御処理は、操作表示部６において前記印刷制御処理の実行を指示するユーザー操作があった場合に実行される。
【００６５】
＜ステップＳ１＞
まず、ステップＳ１において、制御部５は、ＡＤＦ１及び画像読取部２を制御して、ＡＤＦ１の前記原稿セット部に載置される原稿のページ各々の画像を読み取る前記画像読取処理を実行する。ここで、ステップＳ１の処理は、制御部５の読取処理部５１により実行される。
【００６６】
なお、制御部５は、ステップＳ１の処理に替えて、画像形成装置１０に接続されるＵＳＢメモリー等の記憶部から原稿の画像データを取得する処理を実行してもよい。
【００６７】
＜ステップＳ２＞
ステップＳ２において、制御部５は、前記設定操作画面を操作表示部６に表示させて、前記印刷モードの設定操作、前記印刷条件の設定操作、及び前記指定ページの前記指定操作を受け付ける。また、制御部５は、前記設定操作画面において、設定された前記印刷モード、前記印刷条件、及び前記指定ページに基づく前記印刷処理の実行操作を受け付ける。ここに、ステップＳ２の処理が、本発明における第１ステップの一例であって、制御部５の第１受付処理部５２により実行される。
【００６８】
＜ステップＳ３＞
ステップＳ３において、制御部５は、ステップＳ２で表示された前記設定操作画面において前記印刷処理の実行操作が行われたか否かを判断する。
【００６９】
ここで、制御部５は、前記印刷処理の実行操作が行われたと判断すると（Ｓ３のＹｅｓ側）、処理をステップＳ４に移行させる。また、前記印刷処理の実行操作が行われていなければ（Ｓ３のＮｏ側）、制御部５は、ステップＳ３で前記印刷処理の実行操作が行われるのを待ち受ける。
【００７０】
＜ステップＳ４＞
ステップＳ４において、制御部５は、ステップＳ２で表示された前記設定操作画面で設定された前記指定ページの前ページである前記第１参照ページの印字率を取得する。ここで、ステップＳ４の処理は、制御部５の取得処理部５３により実行される。なお、ステップＳ４の処理は省略されるものであってもよい。
【００７１】
＜ステップＳ５＞
ステップＳ５において、制御部５は、ステップＳ１で読み取られた原稿のうち、前記指定ページを含む前記部分原稿を印刷する。ここに、ステップＳ５の処理が、本発明における第２ステップの一例であって、制御部５の第１印刷処理部５４により実行される。
【００７２】
例えば、制御部５は、ステップＳ１で読み取られた原稿の画像データ、並びにステップＳ２で表示された前記設定操作画面で設定された前記印刷モード、前記印刷条件、及び前記指定ページに基づいて、前記第１印刷データを生成する。そして、制御部５は、前記印刷モードが片面印刷に設定される場合には、ステップＳ４で取得された前記第１参照ページの印字率に基づいて前記部分原稿の範囲を特定し、範囲が特定された前記部分原稿を前記第１印刷データに基づいて印刷する。また、制御部５は、前記印刷モードが両面印刷に設定される場合には、ステップＳ４で取得された前記第１参照ページの印字率及び前記第１印刷データに基づいて前記部分原稿の範囲を特定し、範囲が特定された前記部分原稿を前記第１印刷データに基づいて印刷する。
【００７３】
ここで、画像形成装置１０では、ステップＳ４で取得された前記第１参照ページの印字率が前記閾値以下である場合に、前記部分原稿の範囲が前記第２参照ページまで拡張される。これにより、前記第１参照ページの印字率が低いために、前記第１参照ページの内容に基づく前記指定ページの指定における誤りの有無の確認作業が困難となることが回避される。
【００７４】
なお、ステップＳ４の処理が省略される場合、前記部分原稿の範囲は、前記印刷モードが片面印刷に設定される場合には、前記指定ページ及び前記第１参照ページとなる。また、前記印刷モードが両面印刷に設定される場合には、前記部分原稿の範囲は、前記指定ページの前記印刷位置のシートの裏面から表面への変更の有無に応じて異なる。具体的に、前記指定ページの前記印刷位置が変更される場合には、前記部分原稿の範囲は、前記指定ページ、前記指定ページの次ページ、及び前記指定ページの前ページである前記第１参照ページとなる。また、前記指定ページの前記印刷位置が変更されない場合には、前記部分原稿の範囲は、前記指定ページ、前記指定ページの次ページ、前記指定ページの前ページである前記第１参照ページ、及び前記第１参照ページの前ページである前記第２参照ページとなる。
【００７５】
なお、制御部５は、前記指定ページが複数存在する場合には、複数の前記指定ページ各々に対応する前記部分原稿を印刷する。また、制御部５は、前記印刷条件が前記第１印刷条件に設定される場合には、前記部分原稿に前記指定ページ及び前記指定ページの前ページが含まれる場合であっても、前記指定ページと前記指定ページの前ページとの間に第２給紙カセット４２に載置されるシートを挿入せずに前記部分原稿を印刷する。
【００７６】
また、制御部５は、ステップＳ２で表示された前記設定操作画面において前記指定ページが設定されない場合は、ステップＳ１で読み取られた原稿を印刷して前記印刷制御処理を終了する。
【００７７】
＜ステップＳ６＞
ステップＳ６において、制御部５は、前記設定変更画面を操作表示部６に表示させて、前記指定操作で指定された前記指定ページの前記確認操作及び前記変更操作を受け付ける。ここで、ステップＳ６の処理は、制御部５の第２受付処理部５５により実行される。
【００７８】
＜ステップＳ７＞
ステップＳ７において、制御部５は、ステップＳ６で表示された前記設定変更画面において前記変更操作が行われたか否かを判断する。
【００７９】
ここで、制御部５は、前記変更操作が行われたと判断すると（Ｓ７のＹｅｓ側）、処理をステップＳ７１に移行させる。また、前記変更操作が行われていなければ（Ｓ７のＮｏ側）、制御部５は、処理をステップＳ８に移行させる。
【００８０】
＜ステップＳ８＞
ステップＳ８において、制御部５は、ステップＳ６で表示された前記設定変更画面において前記確認操作が行われたか否かを判断する。
【００８１】
ここで、制御部５は、前記確認操作が行われたと判断すると（Ｓ８のＹｅｓ側）、処理をステップＳ９に移行させる。また、前記確認操作が行われていなければ（Ｓ８のＮｏ側）、制御部５は、処理をステップＳ７に移行させて、前記変更操作又は前記確認操作が行われるのを待ち受ける。
【００８２】
＜ステップＳ９＞
ステップＳ９において、制御部５は、ステップＳ５で印刷された前記部分原稿を手差しトレイ４３に載置するよう促す前記第１メッセージを含む前記第１報知画面を操作表示部６に表示させて報知する。ここで、ステップＳ９の処理は、制御部５の報知処理部５６により実行される。
【００８３】
＜ステップＳ１０＞
ステップＳ１０において、制御部５は、ステップＳ９で表示された前記第１報知画面において前記印刷処理の実行操作が行われたか否かを判断する。
【００８４】
ここで、制御部５は、前記印刷処理の実行操作が行われたと判断すると（Ｓ１０のＹｅｓ側）、処理をステップＳ１１に移行させる。また、前記印刷処理の実行操作が行われていなければ（Ｓ１０のＮｏ側）、制御部５は、ステップＳ１０で前記印刷処理の実行操作が行われるのを待ち受ける。
【００８５】
なお、ステップＳ９及びステップＳ１０の処理は省略されるものであってもよい。この場合、制御部５は、ステップＳ８において前記確認操作が行われたと判断すると（Ｓ８のＹｅｓ側）、処理をステップＳ１１に移行させる。
【００８６】
＜ステップＳ１１＞
ステップＳ１１において、制御部５は、ステップＳ１で読み取られた原稿のうち、ステップＳ５で印刷された前記部分原稿を除く前記残部原稿を印刷する。ここに、ステップＳ１１の処理が、本発明における第３ステップの一例であって、制御部５の第２印刷処理部５７により実行される。
【００８７】
例えば、制御部５は、前記第１印刷データに基づいて、前記残部原稿を印刷する。
【００８８】
ここで、制御部５は、前記第１印刷データに基づいて取得される前記部分原稿の印刷タイミングで、前記部分原稿の印刷に替えて、手差しトレイ４３からステップＳ５による前記部分原稿の印刷枚数と同じ枚数のシートを給紙部４によって排紙トレイ３９に排出させる。これにより、ステップＳ１１で印刷される前記残部原稿における適宜の箇所にステップＳ５で印刷された前記部分原稿を挿入するユーザーの手間を軽減することが可能である。
【００８９】
また、第２印刷処理部５７は、前記印刷条件が前記第１印刷条件に設定される場合には、前記第１印刷データに基づいて取得される前記指定ページの印刷タイミングに基づいて、第２給紙カセット４２からシートを給紙部４によって排紙トレイ３９へと排出させる。
【００９０】
なお、ステップＳ１１において、手差しトレイ４３からシートを給紙部４によって排紙トレイ３９に排出させる処理は省略されるものであってもよい。
【００９１】
＜ステップＳ７１＞
一方、ステップＳ７で前記変更操作が行われたと判断された場合、制御部５はステップＳ７１の処理を実行する。ステップＳ７１において、制御部５は、前記変更原稿を識別可能な前記原稿識別情報、及び前記部分原稿から前記変更原稿を除去して手差しトレイ４３に載置するよう促す前記第２メッセージを含む前記第２報知画面を操作表示部６に表示させて報知する。ここで、ステップＳ７１の処理は、制御部５の報知処理部５６により実行される。これにより、ステップＳ５で印刷された前記部分原稿から前記変更原稿を識別して除外するユーザーの手間を軽減することが可能である。
【００９２】
＜ステップＳ７２＞
ステップＳ７２において、制御部５は、ステップＳ７１で表示された前記第２報知画面において前記印刷処理の実行操作が行われたか否かを判断する。
【００９３】
ここで、制御部５は、前記印刷処理の実行操作が行われたと判断すると（Ｓ７２のＹｅｓ側）、処理をステップＳ７３に移行させる。また、前記印刷処理の実行操作が行われていなければ（Ｓ７２のＮｏ側）、制御部５は、ステップＳ７２で前記印刷処理の実行操作が行われるのを待ち受ける。
【００９４】
なお、ステップＳ７１及びステップＳ７２の処理は省略されるものであってもよい。この場合、制御部５は、ステップＳ７において前記変更操作が行われたと判断すると（Ｓ７のＹｅｓ側）、処理をステップＳ７３に移行させる。
【００９５】
＜ステップＳ７３＞
ステップＳ７３において、制御部５は、ステップＳ１で読み取られた原稿のうち、ステップＳ５で印刷された前記部分原稿を除く前記残部原稿と、前記部分原稿のうち前記変更操作に応じて印刷結果が変化する前記変更原稿とを印刷する。ここで、ステップＳ７３の処理は、制御部５の第３印刷処理部５８により実行される。これにより、前記変更操作が行われた場合にも、前記部分原稿と印刷結果が重複する印刷物の印刷を回避することが可能である。
【００９６】
例えば、制御部５は、ステップＳ１で読み取られた原稿の画像データ、ステップＳ２で表示された前記設定操作画面で設定された前記印刷モード及び前記印刷条件、並びにステップＳ６で表示された前記設定変更画面で受け付けられた前記変更操作に応じて変更された前記指定ページに基づいて、前記第２印刷データを生成する。次に、制御部５は、前記第１印刷データ及び前記第２印刷データに基づいて、前記部分原稿から前記変更原稿及び前記不変原稿を特定する。そして、制御部５は、前記第２印刷データに基づいて前記残部原稿及び特定された前記変更原稿を印刷する。
【００９７】
ここで、制御部５は、前記第２印刷データに基づいて取得される前記不変原稿の印刷タイミングで、前記不変原稿の印刷に替えて、手差しトレイ４３からステップＳ５による前記不変原稿の印刷枚数と同じ枚数のシートを給紙部４によって排紙トレイ３９に排出させる。これにより、ステップＳ７３で印刷される前記残部原稿及び前記変更原稿における適宜の箇所にステップＳ５で印刷された前記不変原稿を挿入するユーザーの手間を軽減することが可能である。
【００９８】
また、制御部５は、前記印刷条件が前記第１印刷条件に設定される場合には、前記第２印刷データに基づいて取得される前記指定ページの印刷タイミングに基づいて、第２給紙カセット４２からシートを給紙部４によって排紙トレイ３９へと排出させる。
【００９９】
なお、ステップＳ７３において、手差しトレイ４３からシートを給紙部４によって排紙トレイ３９に排出させる処理は省略されるものであってもよい。
【０１００】
ここで、図４を参照しつつ、画像形成装置１０において、前記印刷制御処理の実行により印刷される前記部分原稿及び前記残部原稿について説明する。ここで、図４は、前記第１印刷データにより印刷される前記部分原稿及び前記残部原稿を含む印刷物Ｐ１００を示す図である。印刷物Ｐ１００は、シートＰ１１〜Ｐ２０を含む。
【０１０１】
なお、図４において、シートＰ１１〜Ｐ２０は、それぞれ表面Ｐ１１Ａ〜Ｐ２０Ａ及び裏面Ｐ１１Ｂ〜Ｐ２０Ｂを有する。また、図４において、シートの表面Ｐ１１Ａ〜Ｐ２０Ａ及び裏面Ｐ１１Ｂ〜Ｐ２０Ｂ各々に付された番号は、表面Ｐ１１Ａ〜Ｐ２０Ａ及び裏面Ｐ１１Ｂ〜Ｐ２０Ｂ各々に印刷される原稿のページ番号を示すものである。また、図４におけるハッチングは、前記指定ページを示すものである。また、図４における一点鎖線は、部分原稿Ｐ１０１〜Ｐ１０３各々の範囲を示すものである。
【０１０２】
なお、以下の説明では、前記印刷制御処理において１８ページの原稿が読み取られて、前記印刷モードが両面印刷に、前記印刷条件が前記第３印刷条件に、前記指定ページが４、１０、１５ページに、それぞれ設定された場合を例に挙げて説明する。また、図４に示す３ページ目の原稿の印字率が前記閾値未満であり、９ページ目及び１４ページ目の原稿の印字率が前記閾値を超えているものと仮定して説明を行う。
【０１０３】
図４に示すように、画像形成装置１０において、前記印刷モードが両面印刷に、前記印刷条件が前記第３印刷条件に、前記指定ページが４、１０、１５ページに、それぞれ設定されて１８ページの原稿が印刷される場合、シートの表面Ｐ１１Ａ〜Ｐ２０Ａ及び裏面Ｐ１１Ｂ〜Ｐ２０Ｂ各々に、原稿の各ページが順次割り当てられて印刷される。
【０１０４】
ここで、４ページ目の原稿の本来の前記印刷位置はシートＰ１２の裏面Ｐ１２Ｂであるが、４ページ目の原稿は前記指定ページに設定されている。そのため、前記第１印刷データでは、４ページ目の原稿の前記印刷位置が、シートＰ１２の裏面Ｐ１２Ｂから給紙部４により次に搬送されるシートＰ１３の表面Ｐ１３Ａに変更される。また、４ページ目の原稿の前記印刷位置の変更に伴い、５ページ目以降の原稿の前記印刷位置も変更される。これにより、前記指定ページに設定された１０ページ目の原稿の前記印刷位置は、シートＰ１５の裏面Ｐ１５ＢからシートＰ１６の表面Ｐ１６Ａに変更される。また、前記指定ページに設定された１５ページ目の原稿の前記印刷位置は、シートＰ１８の表面Ｐ１８Ａから裏面Ｐ１８Ｂに変更される。そのため、前記第１印刷データでは、１５ページ目の原稿の前記印刷位置が、シートＰ１８の裏面Ｐ１８ＢからシートＰ１９の表面Ｐ１９Ａに変更される。
【０１０５】
図４に示す例では、４ページ目の原稿（前記指定ページ）を含む部分原稿Ｐ１０１として、１ページ目の原稿（前記第２参照ページの前ページ）が表面Ｐ１１Ａに、２ページ目の原稿（前記第２参照ページ）が裏面Ｐ１１Ｂにそれぞれ印刷されたシートＰ１１、３ページ目の原稿（前記第１参照ページ）が表面Ｐ１２Ａに印刷されたシートＰ１２、及び４ページ目の原稿（前記指定ページ）が表面Ｐ１３Ａに、５ページ目の原稿（前記指定ページの次ページ）が裏面Ｐ１３Ｂにそれぞれ印刷されたシートＰ１３が印刷される。また、１０ページ目の原稿（前記指定ページ）を含む部分原稿Ｐ１０２として、８ページ目の原稿（前記第２参照ページ）が表面Ｐ１５Ａに、９ページ目の原稿（前記第１参照ページ）が裏面Ｐ１５Ｂにそれぞれ印刷されたシートＰ１５、及び１０ページ目の原稿（前記指定ページ）が表面Ｐ１６Ａに、１１ページ目の原稿（前記指定ページの次ページ）が裏面Ｐ１６Ｂにそれぞれ印刷されたシートＰ１６が印刷される。また、１５ページ目の原稿（前記指定ページ）を含む部分原稿Ｐ１０３として、１４ページ目の原稿（前記第１参照ページ）が表面Ｐ１８Ａに印刷されたシートＰ１８、及び１５ページ目の原稿（前記指定ページ）が表面Ｐ１９Ａに、１６ページ目の原稿（前記指定ページの次ページ）が裏面Ｐ１９Ｂにそれぞれ印刷されたシートＰ１９が印刷される。
【０１０６】
また、図４に示す例では、前記指定ページの前記変更操作が行われない場合、６ページ目の原稿が表面Ｐ１４Ａに、７ページ目の原稿が裏面Ｐ１４Ｂにそれぞれ印刷されたシートＰ１４と、１２ページ目の原稿が表面Ｐ１７Ａに、１３ページ目の原稿が裏面Ｐ１７Ｂにそれぞれ印刷されたシートＰ１７と、１７ページ目の原稿が表面Ｐ２０Ａに、１８ページ目の原稿が裏面Ｐ２０Ｂにそれぞれ印刷されたシートＰ２０とが、前記残部原稿として印刷される。
【０１０７】
次に、図５を参照しつつ、図４に示す例において前記指定ページの前記変更操作が行われた場合の前記残部原稿、前記変更原稿、及び前記不変原稿について説明する。ここで、図５は、前記第１印刷データにより印刷される前記不変原稿、並びに前記第２印刷データにより印刷される前記残部原稿及び前記変更原稿を含む印刷物Ｐ２００を示す図である。印刷物Ｐ２００は、シートＰ１１、シートＰ１６、シートＰ１８〜Ｐ１９、及びシートＰ２１〜Ｐ２６を含む。なお、図５における二点鎖線は、不変原稿Ｐ２０１〜Ｐ２０３各々の範囲を示すものである。
【０１０８】
なお、以下の説明では、前記指定ページが４ページ目の原稿から５ページ目の原稿に設定変更された場合を例に挙げて説明する。
【０１０９】
図５に示すように、前記指定ページが４ページ目の原稿から５ページ目の原稿に設定変更されることで、図４に示す部分原稿Ｐ１０１のうち、３ページ目〜５ページ目の原稿の印刷結果が変化する。そのため、制御部５は、１ページ目〜２ページ目の原稿を不変原稿Ｐ２０１として特定する。また、制御部５は、３ページ目〜５ページ目の原稿を前記変更原稿として特定して、６ページ目の前記残部原稿と共にシートＰ２１及びシートＰ２２に印刷する。
【０１１０】
また、図５に示すように、前記指定ページが４ページ目の原稿から５ページ目の原稿に設定変更されることで、図４に示す部分原稿Ｐ１０２のうち、８ページ目〜９ページ目の原稿の印刷結果が変化する。そのため、制御部５は、１０ページ目〜１１ページ目の原稿を不変原稿Ｐ２０２として特定する。また、制御部５は、８ページ目〜９ページ目の原稿を前記変更原稿として特定して、７ページ目の前記残部原稿と共にシートＰ２３及びシートＰ２４に印刷する。
【０１１１】
また、図５に示すように、前記指定ページが４ページ目の原稿から５ページ目の原稿に設定変更された場合、図４に示す部分原稿Ｐ１０３に含まれる１４ページ目〜１６ページ目の原稿の印刷結果は変化しない。そのため、制御部５は、１４ページ目〜１６ページ目の原稿を不変原稿Ｐ２０３として特定する。また、制御部５は、１２ページ目〜１３ページ目の前記残部原稿をシートＰ２５に、１７ページ目〜１８ページ目の前記残部原稿をシートＰ２６に、それぞれ印刷する。
【０１１２】
このように、前記印刷制御処理では、複数ページを含む原稿のうち、前記印刷条件が適用される前記指定ページを指定する前記指定操作の誤りの有無の確認に用いられる前記部分原稿が印刷された後、前記確認操作が受け付けられた場合には、前記部分原稿を除く前記残部原稿が印刷される。これにより、ページ指定の確認用に印刷される印刷物と印刷結果が重複する印刷物が印刷されることを抑制することが可能である。
【符号の説明】
【０１１３】
１  ：ＡＤＦ
２  ：画像読取部
３  ：画像形成部
３９：排紙トレイ
４  ：給紙部
４１：第１給紙カセット
４２：第２給紙カセット
４３：手差しトレイ
５  ：制御部
５１：読取処理部
５２：第１受付処理部
５３：取得処理部
５４：第１印刷処理部
５５：第２受付処理部
５６：報知処理部
５７：第２印刷処理部
５８：第３印刷処理部
６  ：操作表示部
１０：画像形成装置
【図１】
0006418128.tif 000002
【図２】
0006418128.tif 000003
【図３】
0006418128.tif 000004
【図４】
0006418128.tif 000005
【図５】
0006418128.tif 000006